(57)【特許請求の範囲】
【請求項１】
ナノ粒子化した有機無機複合磁性材料からなる磁性体が、眼球近傍の空気流中における酸素の流量を磁気的に増加させると共に、該酸素の流量の増加に伴って水蒸気量の流量が増加するように配置されており、
上記有機無機複合磁性体が、平均粒子径１００nm以下の有機磁性体と平均粒子径１００nm以下の無機磁性体とを含む磁性体の焼結体から形成されており、
上記有機磁性体が、ｄ電子および/またはｆ電子を有する原子をスピン源として配位子と結合させたフラーレン類、金属内包フラーレン類、金属フタロシアニン、ニトロニルニトロキシド（TCNQ）、および、TCNQアニオンよりなる群から選ばれるいずれかの有機化合物を含む
ことを特徴とする視力矯正機具。
【請求項２】
上記磁性体を、メガネフレーム、レンズ、ノーズパット、テンプルの先端部および蝶板ねじよりなる群から選ばれるいずれかの部材としてメガネに配置することを特徴とする請求項１に記載の視力矯正機具。
【請求項３】
上記磁性体を、コンタクトレンズに配置することを特徴とする請求項１に記載の視力矯正機具。
【請求項４】
上記磁性体を、クリップ、ストラップあるいはチェーンの形状に加工してメガネのアクセサリーとしてメガネに付帯させることを特徴とする請求項１に記載の視力矯正機具。
【請求項５】
上記磁性体をノーズパットとして配置することを特徴とする請求項１に記載の視力矯正機具。
【請求項６】
上記視力矯正機具が、視力矯正機具に、透明光触媒膜を形成して湿度向上により水分の減少を抑制するものであることを特徴とする請求項１に記載の視力矯正機具。
【発明の詳細な説明】
【技術分野】
【０００１】
本発明は、磁性材料の磁力によるメガネ周辺雰囲気の酸素濃度の向上と、酸素分子が移動することによって発生するメガネ周辺の大気の気体分圧比の変化を利用して水蒸気量の増加と水蒸気（微細な水クラスタ）に溶存する酸素陰イオンによるメガネ周辺からの眼球面近傍への酸素供給の増加とによって、効果的に眼球および眼球周囲を保湿することができる視力矯正機具に関する。
【背景技術】
【０００２】
空気は，容積比で、窒素を約７８％、酸素を約２１％含有し、残部がアルゴン、水蒸気、二酸化炭素などによって組成されている。
窒素ガスは分子状態では反磁性体であるのに対して、酸素ガスは分子状態において常磁性体である。質量磁化率は、窒素ガスの場合、χN2＝−０．４×１０-6であるのに対して、酸素ガスでは、χO2＝１０４×１０-6であり、酸素ガスは空気中の気体では、かなり顕著に磁場に反応する磁性体である。
【０００３】
従って、空気のような、窒素ガス（Ｎ2）および酸素ガス（Ｏ2）などが混在した気体中に永久磁石を置いた場合、反磁性体である窒素ガスは永久磁石に反発して遠ざかるが、質量磁化率が高く常磁性体である酸素ガスは永久磁石に吸い寄せられ、永久磁石周囲の酸素ガス濃度が高くなることが知られている。
【０００４】
２００６年２月６日に東京大学にて開催された低温工学協会「新規磁場応用に関する調査研究会」第２回研究会において、物質・材料研究機構の若山信子氏は、磁気力が気体の流れあるいは対流に与える影響、すなわち磁気空気力学に関する実験について「磁気力の新規利用に関する研究」と題して講演している（非特許文献１）。その報告によると、酸素ガスを図１に示すような磁場中に、位置Ａの下方から上向きに向かって流すと、磁場印加時には酸素ガスは上方に吸い寄せられ、位置Ｂの辺りに留まり、磁場なしの場合は、酸素ガスは空気より重いので下方に流れる現象が観察される。これは酸素ガスが気体としては比較的大きな常磁性を有しているため、位置Ａの磁場勾配により、上向きの磁気力が作用した結果であると報告されている。
【０００５】
同様に、窒素ガスについては、位置Ｃの下方から上向きに向かって流すと、磁場印加時には勢いよく上方に噴出する様子が観察されたが、磁場を印加しない時には、このような現象は観察されなかった。この実験から、窒素ガスは反磁性であるため、位置Ｃの磁場勾配により、上向きの磁気力が作用すると同時に、空気中の酸素ガスは下向きの磁気力を受けて磁場中に吸い込まれることによって対流が生じ、ジェット気流のように噴出して行くというメカニズムを解明している。
【０００６】
このことは、実際に、磁気式酸素濃度計がこの理論、原理に基づき製造されていることからも明らかである。以下、簡単にその原理を説明する。
測定ガス中に酸素ガスがあると、酸素ガスが磁界に引き付けられるために、図２にあるように、Ｂ方向に流れる補助ガスの流量が減少する。この絞りの効果によって生ずるＢ方向とＡ方向との流量比の差異は、測定ガス中の酸素濃度に比例しており、この部分濃度を検出して酸素ガス濃度として表示されている。
【０００７】
酸素ガスは、磁場勾配中において磁気強度に影響を受けるので、永久磁石の極付近では、酸素ガス濃度が高くなることは原理的にも当然のこととして予測される。また、常磁性体と反磁性体の気体の磁場における分離に関しても多くの研究発表がされている。
【０００８】
ところで、生活して行く上で非常に重要な感性として、視覚がある。視覚は眼筋によって支えられた眼球から取り込まれた光学的変化を認識することにより人が認知する感覚である。
【０００９】
この視覚を司る眼球は眼筋によって支えられると共に運動し、一般的に眼筋の運動は1日１０万回以上であると言われている。従って「酸素欠乏」状態が生ずると目の眼筋運動機能に影響すると言われ、酸素欠乏状態に陥ると、毛様体の筋力と水晶体の弾力とが低下し、近視あるいは老眼の進行が加速される原因の一因であると考えられている。さらに、水晶体の新陳代謝が衰えることにより、水晶体に濁りが生じ、白内障が生じ、また、眼球内の老廃物排泄機能が不充分となり、飛蚊症が発症する一因と考えられている。
【００１０】
さらにこうした状態が進行すると、眼球の角膜と虹彩との間、および、虹彩と水晶体の間を満たす房水という体液の排泄機能が不充分となり機能が滞ることで、酸素あるいは栄養の供給が減少し、眼圧の上昇、緑内障発症が危惧されると共に、さらに視神経の栄養不足が進行すると、視野狭窄の発症要因にもなりかねない。
【００１１】
近年、特にスマートフォンおよびパソコン（パーソナルコンピュータ）の急速な普及に伴いＶＤＴ（Visual display terminal）症候群と言われる目の疲労が大きな問題になってきている。スマートフォンあるいはパソコンは画面の隅々から必要な情報を得て、その意味を咀嚼し、その情報に対しての指示、確認、実効並びにその結果の反応等、一連の動作が必要であり、結果として長時間、目を近地点の一点（画面上）に焦点を合わせ続けることになる。そのことは、長時間にわたって毛様体の筋を一定筋度に保つという、即ち毛様体を極めて過酷な条件で使用することであり、テレビ番組を見ることとは比較にならないほどの過酷な条件であり、目に極めて高い負担をかけていることになる。
【００１２】
テレビゲームの及ぼす影響について次のような報告がある。北里大学病院検査技師１０人に対し、１日４時間の間テレビゲームをさせ、目にどのような影響を与えるかを実験した。その結果、テレビ画面からの電磁波被爆により、８人の人の眼、即ち１６の眼に角膜上皮症が認められ、目の調節機能を減退させ、瞳孔の近見反応に異常があることが判明したことが「北里大学医学部眼科、宮田教授ほか、１９９８年眼科臨床医報」に公開されている（非特許文献２）。
【００１３】
さらに、目に近い一点に焦点を合わせ続け、凝視することは結果として、まばたきの回数を激減させ、涙が蒸発し、ドライアイになり易くなり、目の疲労を大幅に増大する環境に置かれていると考えられる。
【００１４】
これとは別に、コンタクトレンズの普及も酸素不足の大きな要因と言われ、さらに近年においては、カラーコンタクトレンズの普及がファッション面で特に進み、さらにコンタクトレンズの利用範囲が広がってきている。
【００１５】
目の角膜は周囲の空気から酸素を直接吸収する器官であるが、コンタクトレンズには酸素透過率の高いものもあるが、その多くは酸素透過率に問題がある。いずれにしても、コンタクトレンズを装着すると角膜からの酸素吸収を妨げるため、装着時間を短く制限するなどの必要がある。酸素不足によって起こる角膜新生血管等の異常発生に起因する病気などに陥らないような手段を講じる必要がある。
【００１６】
ドライアイ予防あるいは角膜からの酸素吸収を補助する方法の提供は、スマートフォンあるいはパソコンが社会生活に不可欠となった現代において差し迫った重要な課題である。
【先行技術文献】
【非特許文献】
【００１７】
【非特許文献１】「磁気力の新規利用に関する研究」第２回研究会、「新規磁場応用に関する調査研究会」物質・材料研究機構、若山信子；２００６年２月６日
【非特許文献２】北里大学医学部眼科、宮田ほか、眼科臨床医報；１９９８年
【発明の概要】
【発明が解決しようとする課題】
【００１８】
本発明は、場所を選ばず通常の日常生活、業務等を行いながら、特に目の安全と目の疲労軽減、しいては除去することを目的とした装置を提供すること、および、これに用いる原材料物質を提供することを目的としている。
【課題を解決するための手段】
【００１９】
本発明の視力矯正機具は、ナノ粒子化した有機無機複合磁性材料からなる磁性体が、眼球近傍の空気流中における酸素の流量を磁気的に増加させると共に、該酸素の流量の増加に伴って水蒸気量の流量が増加するように配置されていることを特徴としている。
【００２０】
本発明の視力矯正機具は、ナノ粒子化した有機無機複合磁性材料と、必要により、高分子ポリマー、非磁性金属および金属酸化物セラミックスよりなる磁性体混合物を用いて、たとえば、メガネのフレーム、ノーズパッドおよびテンプルなどの少なくとも一カ所に、周辺空気のガス分圧比を、磁性体を配置してこの部分に地場を印可して、視力矯正機具近傍の酸素濃度増加と水蒸気量（水クラスタ量）が増加するように、磁極が形成されている。
【００２１】
さらに本発明の視力矯正機具は、視力矯正機具であるめがねのレンズあるいはフレーム、コンタクトレンズ（ハード、ソフト）に、透明光触媒膜を形成して湿度向上による涙液（泪）水分の減少を抑制することを特徴としている。さらに本発明は、この視力矯正機具に使用する透明光触媒材料及びこの透明光触媒を用いた製膜加工方法にある。
【発明の効果】
【００２２】
本発明の視力矯正機具は、空気から、空気中の磁性体である酸素ガスを視力矯正機具に備えられた磁性体によって強制的に酸素ガスのジェット気流を形成させ、他方で磁性体でない窒素はこの視力矯正機具に備えられた磁性体から遠ざけてジェット気流に巻き込まれにくい状況を形成すると共に、酸素のジェット気流と共に水蒸気量の多い空気を流して、その一部はジェット気流中に水クラスタを形成して安定に存在すると考えられる。
【００２３】
このようにして形成された酸素ガスのジェット気流およびこれに伴う水クラスタを含む水蒸気のジェット気流によって眼球近傍は常に酸素リッチで湿潤した状態になり、毛様体は常に酸素に満ち、眼球全体にも水分が供給されドライアイの発生を防止することができる。
【００２４】
即ち、本発明の視力矯正機具であるメガネあるいはコンタクトレンズは、空気組成の主な要素であり、それぞれの質量磁化率が異なる窒素（Ｎ2）、酸素（Ｏ2）に、ナノ粒子化した有機無機複合磁性材料からなる磁性体の磁場を印加することにより、磁性体周囲の窒素および酸素の濃度変化を得ることで、安価かつ簡便、効率的に酸素（Ｏ2）の濃度を増加させることができる。
【００２５】
さらに詳細に説明すれば、ナノ粒子化した有機無機複合磁性材料からなる磁性体の磁力線によって酸素ガスの濃度が増加することにより、空気の密度変化が発生し、水蒸気、即ち水クラスタが酸素ガスを取り込みながら磁性体周囲に集められると考えられる。なお、水は液体の状態では反磁性であるが、気体の状態の水蒸気を形成する水クラスタ気体では、溶存するガスの磁性に従うため、酸素ガスを多く溶存する水蒸気、即ち気体の水クラスタは、酸素ガスと同様に磁性体になり、ナノ粒子化した有機無機複合磁性材料からなる磁性体周囲の濃度が増加すると考えられる。ナノ粒子化した有機無機複合磁性材料からなる磁性体を例えば、メガネのテンプル前縁部あるいはフレームに配置する場合と、配置しない場合よりは、明らかに１０〜３０％の水蒸気量の増加が確認できる。このことにより、ナノ粒子化した有機無機複合磁性材料からなる磁性体を設置したメガネは、目の表面とその周囲の湿度を高めることができ、気温２５℃、湿度３０％程度の室内においてもメガネ周辺の相対湿度を４０〜６０％程度に保つことが可能である。
【図面の簡単な説明】
【００２６】
【図１】図１は、実験の電磁石の配置と磁場の様子を示す斜視図である。
【図２】図２は、磁気式酸素濃度測定器の原理を示す図である。
【図３】図３は、本発明のナノ粒子化した有機無機複合磁性材料からなる磁性体付きメガネ（チップタイプ）の一実施例の概略図を示す斜視図である。
【図４】図４は、有機磁性体の分子性磁性体の概略を示す斜視図である。
【図５】図５は、有機磁性体の有機ラジカルアニオンによる磁性体の概略を示す図である。
【図６】図６は、本発明のナノ粒子化した有機無機複合磁性材料からなる磁性体近傍と離れた位置での水蒸気量（水クラスタ量）の比較実験の特性曲線を示すグラフの例である。
【図７】図７は、本発明のナノ粒子化した有機無機複合磁性材料からなる磁性体を適用した酸素透過性コンタクトレンズの断面の構造図である。
【発明を実施するための形態】
【００２７】
本発明の視力矯正機具は、ナノ粒子化した有機無機複合磁性材料からなる磁性体混合物を用いて形成された磁極を有する。
本発明で使用される磁性材料は有機系の磁性体として、分子性磁性体を用いることができ、分子性磁性体としては、遷移金属あるいはランタノイドなどのようにｄ電子あるいはf電子を有する原子をスピン源とし，配位子と結合させ磁性錯体としたもの（例：フラーレン類、金属内包フラーレンあるいは金属フタロシアニンなど）、ニトロニルニトロキシド(TCNQ)、テトラシアノキノジメタン、TCNQアニオンなどのような安定な有機ラジカルを分子種として用いることができる。これらは単独であるいは組み合わせて使用することができる。
【００２８】
また、図４に示すＲｕ(acac)2(ＣＮ)2)-は、中心に金属が結合して錯体を形成した化合物の例であるが、この錯体を形成している部分にπ電子が共有され、この化合物が集積した化合物はこのπ電子により強固な結晶が形成されて強い磁性を示すようになる。
【００２９】
有機化合物であるスピンが局在化した化合物あるいはニトロニルニトロキシド(TCNQ)のようにスピンが非局在化した化合物の例を図５に示す。図５の左に示す化合物（磁性錯体[Cr(NCS)4Phen]-）は、スピンが局在化しているが、配位子を通して相互作用により、スピンが局在化しているにも拘わらず強固な結晶を形成する化合物の例である。また、ニトロニルニトロキシド(TCNQ)は左右対称の構造を有しており、この化合物が集積すると図５に示すようにπ電子により規則正しい結晶が形成される。このように結晶化したニトロニルニトロキシド(TCNQ)は強い磁性を示す。
【００３０】
本発明では、上記のようにπ電子を共有することができる構造を有する有機化合物を有機系の磁性体として使用することが好ましい。
本発明では、上記のような分子種が結晶構造を採るときに強い磁性を発現するとの特性を有する。特に分子性磁性体であるＣ60フラーレンのようなフラーレン類および金属フタロシアニンを組み合わせて使用することが好ましい。
【００３１】
一方、本発明で使用する無機物の磁性物質としては、アルニコ磁石、フェライト磁石、サマリウムコバルト磁石、ネオジム鉄ボロン磁石、サマリウムテク窒素磁石、ハードフェライト磁石等に代表される硬質磁性体、さらにソフトフェライト、鉄、ケイ素鋼、パーマロイ、センダスト、パーメンジュール、アモルファス磁性合金、クリスタル磁性合金等に代表される軟質磁性体を挙げることができる。これらは単独であるいは組み合わせて使用することができる。
【００３２】
これら物質からなる磁性物質は、何れもハンマーミル、ホモジナイザーなどの粉砕装置で粗粉砕を行い、ボールミル、ビーズミルなど湿式あるいは乾式粉砕装置によって、粒径１００ｎｍ以下のナノ粒子を形成して、必要により分級して、平均粒子径が好ましくは１０〜５０nmの範囲内のナノ粒子を形成して使用する。このような微粒子状の磁性粒子を使用することにより強い磁性体を形成することができる。
【００３３】
有機無機複合磁性体とする場合には、ボールミルあるいはビーズミルの工程の終盤において有機磁性材料を添加し、粉砕と同時に合成(成形)を行うことで、有機無機複合磁性材料を得ることができる。有機磁性体と無機磁性体との配合比は、前述の粉砕・合成工程で配合する成分を配合量によって調整することができる。なお、本発明では、有機磁性体を単独で、あるいは無機磁性体を単独で調製して，次の工程で無機磁性体と混合して有機無機複合磁性体を調製することもできし、有機磁性体あるいは無機磁性体を単独で用いることもできる。
【００３４】
本発明では、上記のような有機無機複合磁性体と共に、高分子ポリマー、非磁性金属および金属酸化物セラミックスよりなる群から選ばれる少なくとも一種の非磁性体を使用して磁性体混合物を製造し、この磁性混合物から、磁極を形成することができる。
【００３５】
ここで使用することができる高分子ポリマーとしては、例えば、ポリフッ化ビニリデン：ＰＶＤＦを挙げることができ、非磁性金属としては、例えば、銅、アルミニウム、マンガン、クロム、銀、白金、金などを挙げることができ、さらに金属酸化物セラミックスとしては、例えばコバルトドープ酸化チタン、亜鉛マンガン酸化物、ネオジム鉄酸化物などを挙げることができる。これらは単独であるいは組み合わせて使用することができる。
【００３６】
本発明において、有機無機複合磁性体を製造する際の有機磁性材料と無機磁性材料との配合重量比率は、通常は５０：５０〜２０：８０の範囲内に設定される。このような重量比で有機磁性材料および無機磁性材料を使用することにより、高い磁性を有する磁極を形成することが可能になる。また、この複合無機有機磁性体１００重量部に対して、高分子ポリマーは０〜１５重量部、好ましくは３〜５重量部の範囲内の量で、非磁性金属は１０〜２０重量部、好ましくは１０〜１５重量部の範囲内の量で、そして、金属酸化物セラミックスは、３０〜５０重量部、好ましくは４０〜４５重量部の範囲内の量で使用される。このようにすることにより、所望の形状の磁極を容易に形成することができる。
【００３７】
すなわち、上記のような組成物を用いて、例えばメガネフレーム、ノーズパッド、および、テンプルのようなメガネ部品あるいはこれらの部品に配置する磁極を形成することができる。
【００３８】
図３に本発明の視力矯正機具の一例であるメガネの例を示す。
図３において付番１はメガネのレンズを固定するフレームであり、付番２はレンズ止めねじであり、付番３はブリッジであり、付番６はテンプルであり、テンプル６の後部先端は耳に係るように下方に湾曲して先セル（モダン）を形成している。ブリッジ３の下方には、鼻を挟むように一対のノーズパット７が係止具５によってブリッジ３に係止されている。本発明の視力矯正機具において。磁極は付番４および付番９で表されており、テンプル６のレンズ側先端部近傍に貼着されている。この磁極４，９は、テンプル６の先端部の幅に応じて適宜設定できるが、通常は２〜５ｍｍ、好ましくは２〜３ｍｍ程度である。また、磁極４，９はノズルパット７の表面に貼着するか、あるいは、ノズルパット７全体を磁極とすることもできる。
【００３９】
このように磁極を形成することにより、酸素ガスおよび水クラスタを磁極に引きつけて対流させることができ、眼球に適度は酸素と水分を供給することができ、毛様体および眼球に充分な酸素と水分を供給することができ、毛様体および眼球を健全な状態に維持することができる。
【００４０】
このようなメガネ部品をメガネの少なくとも一カ所に配置することにより、周辺空気のガス分圧比を磁性体の磁界によって変化させ、メガネの近傍の酸素濃度増加と水蒸気量（水クラスタ量）が増加するように、磁極を装着されている。
【００４１】
本発明は、視力矯正機具(特にメガネ）のテンプル６前縁部およびノーズパッド７のいずれか若しくは両方に無機有機化合物から形成された磁性材料を高分子ポリマーと混合し、加圧および加熱成形してチップ状あるいはシート状に加工した磁性構造体を固定して付加するかあるいは該磁性材料をメガネのテンプル、ノーズパッド７あるいはフレーム１の成形材料に混合して磁極性のテンプル６、ノーズパッド７あるいはフレーム１を成形することができる。
【００４２】
本発明の視力矯正機具であるレンズは、上記記磁性材料を可視光域の光に対する透過率を向上した透明磁性体として調整し、メガネのレンズあるいはコンタクトレンズの表面に形成することにより製造することができる。
【００４３】
本発明で使用する有機無機複合磁性材料は、メガネ、メガネレンズあるいはコンタクトレンズに付着させると、周囲の空気中の酸素分子（Ｏ2）を磁界によって引き寄せ、周囲の空気のガス分圧比を変化させる効果があり、ガス分圧比の変化によって発生する空気の密度の変化により、磁性体周囲の水蒸気量を増加させる効果がある。水蒸気は微細な水滴、更に微視すれば、複数の水分子（Ｈ2Ｏ）からなる水クラスタと見ることができる。その内部は、気相ではなく、液相となっており、引き寄せられた酸素分子（Ｏ2）が、水クラスタ内に溶け込み、酸素陰イオン（Ｏ2-）として溶存される。
【００４４】
角膜あるいは皮膚は、表面の涙あるいは汗などの水分を介して酸素を吸収することから、水クラスタに溶存した酸素は、角膜や皮膚からの酸素吸収に効果的であり、気体である酸素分子（Ｏ2）を角膜や皮膚に直接的に吹き付けるような方法に比べて、保湿と酸素供給を提供する方法としてより効果的である。
【００４５】
本発明において、磁性体は、眼球近傍の空気流中における酸素の流量を磁気的に増加させると共に、該酸素の流量の増加に伴って水蒸気量の流量が増加するように配置すれば特にその設置方法に限定を加えるものではない。例えば、チップ状あるいはシート状、線状、ネジ状などの形状を付与された磁性材料を含有する高分子ポリマーなどの樹脂、あるいは、金、プラチナなどの貴金属によって成形された磁性体をメガネのテンプル前縁部、ノーズパッド、あるいはフレーム左右端に、接着、粘着、螺合などによって配置することができる。また、フレーム、ノーズパッド、テンプル成形材料に磁性材料を添加して一体成形する方法、透明磁性体に調整した磁性材料をメガネのレンズやコンタクトレンズ成形材料に添加して成形する方法を採用することもできる。さらにコーティングなどの方法でレンズ表面に製膜することもできる。
【００４６】
本発明のコンタクトレンズの断面を図７に示す。図７において、付番７０１は前面光学部であり、付番７０２は、フロントベゼルであり、付番７０３は後面光学部であり、付番７０５は前面であり、付番７０６は後面であり、付番７０７はフロントブレンドであり、付番７０８はブレンドであり、付番７０９はエッジであり、付番７１０は透明磁性体コーティング層であり、そして、付番７１１は、酸素透過性レンズ材料である。
【００４７】
本発明では、図７に示すように、酸素透過性レンズ材料７１１に、透明磁性体７１０を真空蒸着あるいはスパッタリング法などによって、コーティングしたコンタクトレンズであり、従来の酸素透過性レンズ材料７１１であるシロキサニルメタクリレート（SMA）あるいはフルオロメタクリレート（FMA）などを使用して製造することができる。
【００４８】
透明磁性体７１０としては、無機磁性体の酸化亜鉛（ZnO）と二酸化マンガン（MnO2）による化合物が透明性および磁力の面で好適である。他に酸化チタン（TiO2、および、鉄（Fe））、ニッケル（Ni）、コバルト（Co）およびモリブデン（Mo）などの酸化物、あるいはこれらを含む化合物を用いることができる。本発明によって製造したコンタクトレンズは、その前面７０５から透明磁性体７１０の磁界によって集められた酸素（Ｏ2）が、多孔質である透明磁性体７１０を通過して、更に同じく多孔質の酸素透過性レンズ材料７１１を透過し、角膜と涙の膜を介して接触するブレンド７０８から角膜に酸素（Ｏ2）を供給することができる。
【００４９】
本発明の磁性材料は、空気組成の主な要素であり、それぞれの質量磁化率が異なる窒素（Ｎ2）、酸素（Ｏ2）に、磁性体の磁場を印加することにより、磁性体周囲の濃度変化を得ることで、安価かつ簡便、効率的に酸素（Ｏ2）の濃度を増加させる利点がある。
【００５０】
さらに本発明の視力矯正機具は、視力矯正機具であるめがねのレンズあるいはフレーム、コンタクトレンズ（ハード、ソフト）に、透明光触媒膜を形成して湿度向上による涙液（泪）水分の減少を抑制することを特徴としている。
【００５１】
即ち、本発明で使用される磁性材料は光触媒の機能も有しており、活性酸素（ＯＨ−：ヒドロキシルラジカル）を紫外光で発生した電子とホールの対の内のホール（ｈ＋）によって、還元して分解し水（Ｈ2Ｏ）と酸素（Ｏ2）を生成するとの効果を有し、これにより、メガネ周囲（眼の周囲）の湿度を向上させるとの機能を有する。そして、本発明は、この視力矯正機具に使用する透明光触媒材料及びこの透明光触媒を用いた製膜加工方法をも提供するものである。
【００５２】
なお、本発明の視力矯正機具は、クリップ、ストラップあるいはチェーンの形状に加工してメガネのアクセサリーとしてメガネに付帯させることができる。
本発明において、視力矯正機具は、素通しのレンズを有するものであってもよい。
【実施例】
【００５３】
次に本発明の実施例を示して本発明をさらに詳細に説明するが本発明はこれらによって限定されるものではない。
〔実施例１〕
図６は、有機磁性体としてニトロニルニトロキシド（TCNQ）を選択し、無機磁性体としてコバルトドープ酸化チタンを選択して有機磁性体：無機磁性体＝３：７の比率で混合し、粉砕し平均粒子径５０nmの粒子を形成し、これを３００℃で焼成して有機無機複合磁性体からなる磁性体形成し、この磁性体を図２に示すメガネの左右のテンプル前縁部に設置し、同じ位置に左右２個の温湿度センサを取り付け、比較のために、メガネから離れた位置にも、温湿度センサを取り付け、パーソナルコンピュータを用いた自動計測機によって、約３７００分（６１時間以上）連続で、１分間隔の計測を行った結果を集計した。
【００５４】
メガネの左右で値が異なるが、メガネから離れた位置での値と比較すると、メガネ左右のセンサの方が離れた位置のセンサに対し、明らかに変動が少なく、かつ高い値を示している。
【００５５】
前述の比較実験によって確認された、本発明による磁性材料の磁界による酸素分子と酸素を主に溶存していると考えられる水蒸気（水クラスタ）の増加現象は、目の表面と周囲の湿度を高める効果があると言え、目の潤いのために理想的な湿度条件とされる湿度４０〜６０％程度に保つことが可能である。
【００５６】
本発明の方法によれば、自然に存在している水蒸気（水クラスタ）を利用するため、従来の方法である水タンク等の容器に入れた水を体温で揮発させる方法に比べて、水の補充や水タンク等の容器の洗浄が必要なく、取扱いが容易であり、かつ常に衛生的であると言える。
【００５７】
〔実施例２〕
本発明による磁性材料を有機磁性体として、Ｃ60フラーレン誘導体と金属（銅）フタロシアニンとの錯体を選択し、無機磁性体として、ネオジム鉄ボロンを選択して、有機磁性体：無機磁性体＝３：７の比率で混合し、３００℃以下の低温での粉体焼結を行い、有機無機複合磁性体として試作した。
【００５８】
これを用いて実環境に設置した試験を行った結果、磁性体から離れた位置の湿度が４０％、気温が２５℃の時に、磁性体近傍の湿度は５８％、気温は２５℃となり、式１によって、水蒸気量（水クラスタ量）を算出すると、約１２．７（ｇ／ｃｍ3）を得られた。
【００５９】
【数１】
0006762000.tif 000002
※飽和水蒸気量は、その環境の気温と大気圧から算出した。
【００６０】
結果を図６に示す。
図６から明らかなように上記式１によって、磁性体から離れた位置の水蒸気量（水クラスタ量）を算出すると、約９．２ｇ／ｃｍ3となり、明らかに磁性体近傍の水蒸気量（水クラスタ量）は、磁性体から離れた位置よりも高い値であると言える。
【００６１】
〔実施例３〕
本発明の実施例２で製造したチップ状磁性体をメガネの左右のテンプル前縁部に設置したメガネを試作し、被験者を募った官能検査による評価試験を行ったので、その結果を以下に記載する。
【００６２】
評価方法：官能検査法
被験者数：１００名
性別：男性５０名、女性：５０名
年齢：２０〜５０代
試験方法：本発明のメガネ使用及び未使用状態で、各２時間パソコンによる業務処理
（表計算ソフトへのデータ入力作業）
評価    ：アンケート集計結果
効果あり：３７名
効果なし：６名
不明    ：５７名
結果として、不明を除くと４３名中３７名（約８５％）に効果が確認できた。
【符号の説明】
【００６３】
１・・・フレーム
２・・・レンズ止めねじ
３・・・ブリッジ
４、９・・・磁極
５・・・係止具
６・・・テンプル
７・・・ノーズパット
７０１・・・前面光学部
７０２・・・フロントベゼル
７０３・・・後面光学部
７０５・・・前面
７０６・・・後面
７０７・・・フロントブレンド
７０８・・・ブレンド
７０９・・・エッジ
７１０・・・透明磁性体コーティング層
７１１・・・酸素透過性レンズ材料
【図１】
0006762000.tif 000003
【図２】
0006762000.tif 000004
【図３】
0006762000.tif 000005
【図４】
0006762000.tif 000006
【図５】
0006762000.tif 000007
【図６】
0006762000.tif 000008
【図７】
0006762000.tif 000009